(57)【要約】      （修正有）【課題】簡単に胸に貼って豊胸の効果を達成することができる隠れるタイプのブラジャーを提供する。【解決手段】１対の乳房と対応する胸パッド１があり、それぞれの胸パッド１は、粘りが強くて水を透過しない軟性材料で溶接して袋１１が構成され、その袋１１の中にシリコン発泡の材質１２を充填し、シリコン発泡の材質１２の中に複数の細い泡および軟化剤を存在させることで、それぞれの胸パッド１の内面に一層のシリコン類の接着剤で構成された接着層２を設け、又、その２枚の胸パッド１の間に一つの接続パーツ３を設けることで、軽くて便利で、肩ひものない隠れるタイプのブラジャーが構成される隠れるタイプのブラジャーである。【選択図】図２
0003100841.tif 000002
【実用新案登録請求の範囲】
【請求項１】
１対の胸パッドがあり、それは直接乳房を覆う軟性なパッドとして使われ、外層に粘りが強くて、水を透過しない軟性材料で溶接された袋があり、その袋の中にシリコン発泡の材質を充填し、さらにシリコン発泡の材質の中に、複数の細い泡および軟化剤を存在させ、それぞれの胸パッドの内面に一層の接着剤で構成された接着層があり、又、その１対の胸パッドの間に一つの接続パーツがあり、胸パッドをフックして接続することで構成されることを特徴とする隠れるタイプのブラジャー。
【請求項２】
そのシリコン発泡の材質の中に軟化剤を添加することが可能であることを特徴とする請求項１に記載の隠れるタイプのブラジャー。
【請求項３】
その接着剤はシリコン類を使っても良いことを特徴とする請求項１に記載の隠れるタイプのブラジャー。
【請求項４】
その接続パーツは、２枚の胸パッドの袋と一体で作られることを特徴とする請求項１に記載の隠れるタイプのブラジャー。
【請求項５】
その接続パーツは、金属又はＰＣプラスチックの材質で構成されることを特徴とする請求項１に記載の隠れるタイプのブラジャー。
【考案の詳細な説明】
【技術分野】
【０００１】
本考案は、隠れるタイプのブラジャーに関するものである。特に繰り返し覆って、取り外すことができ、付着性および分離し易い性質があるので、肩ひもと背中部のひもがなくても使用できるブラジャーの構造設計を指すものである。
【背景技術】
【０００２】
従来のブラジャーは、乳房の美化作用として使われる。その基本構造は、１対のカップと１対の背中部分のひも、１対の肩ひもと一つの接続するひもで構成されるが、背中部分のひもと接続する肩ひものない構造もあり、又は、カップの中にスポンジパッド、水袋又はシリコンパッドなどを入れて、胸を強化し、堅く張り、きつく締め、保護作用等の機能を持たせる構造がある。従来のブラジャーは、カップの中に一つのシリコンパッドを増設しているので、そのシリコンパッドは重さを増加させ、ブラジャーをつける場合、軽くて便利である効果がないのである。
【０００３】
従来のブラジャーが普段肩ひも、背中部分のひもおよびカップなどの構造があるので、ある部分の人にとっては、つけた後は負担になる。即ち、そのカップのサイズおよびその締める程度に困る人が多く、きつく締めないとブラジャーの堅く張る性質が現れないが、きつく締めると呼吸に影響する。又、女性の服が多様化しているので、特別な服を着る場合、ブラジャーの肩ひもおよび接続ひもがその服の本来の効果に影響することが多い。
【考案の開示】
【考案が解決しようとする課題】
【０００４】
簡単に胸に貼って豊胸の効果を達成することができる隠れるタイプのブラジャーを提供することである。
【課題を解決するための手段】
【０００５】
上記課題を解決するための本考案の隠れるタイプのブラジャーは、１対の乳房と対応する胸パッドがあり、それぞれの胸パッドは、粘りが強くて水を透過しない軟性材料で溶接して袋が構成され、その袋の中にシリコン発泡の材質を充填する。さらに、シリコン発泡の材質の中に複数の細い泡および軟化剤を存在させることで、それぞれの胸パッドの内面に一層のシリコン類の接着剤で構成された接着層を設けてある。又、その２枚の胸パッドの間に一つの接続パーツを設けることで、軽くて便利で、肩ひものない隠れるタイプのブラジャーが構成されるのである。
【考案を実施するための最良の形態】
【０００６】
図１の通り、この考案の実施例は「隠れるタイプのブラジャー」の設計に関するものである。それは肩ひも、背中部分のひもがなく、いつでも胸に貼るだけで、ブラジャーが構成される隠れるタイプのブラジャーの設計である。それは、１対の胸パット１があり(図２の通り)、それは直接ブラジャーのカップとして使うことで乳房を覆う軟性なパッドである。それは粘りが強くて、水を透過しない軟性材料で密封する袋１１が溶接で作られ、その袋１１の中にシリコン発泡の材質１２を充填する。さらに、シリコン発泡材質の中に、複数の細い泡および軟化剤を存在させるものであるが、その形状は特定されず、使用者の需要により、より薄い(図２の通り)、又はやや厚い(図３の通り)形態を作ることで、豊胸の効果を達成できる。
【０００７】
接着層２(図２の通り)があり、それは皮膚と自然に貼れるシリコン類の接着剤で作られ、その接着剤の表層には付着性および分離し易い性質、皮膚に傷をつけない特性があるので、その胸パッド１を皮膚に付着でき、乳房の上に百回以上繰り返し覆って、取り外すことができ、これをそれぞれの胸パッド１の内側面に設けることができる。
【０００８】
接続パーツ３があり、それは皮膚に傷をつけない金属又はＰＣプラスチックの材質で構成されるフックパーツであり、それにより１対の胸パッド１をフックして接続させることでブラジャーが構成されるが、その構造の形状が特定されていないので、粘りが強くて、水を透過しない軟性材料で、直接中間に接続部があり、両側に密封する袋１１が一体で溶接されたものもある。
【０００９】
本実施例は、上述の胸パッド１の構造特徴を利用して、それぞれの胸パッド１の内面に接着層２を設け、接続パーツ３でその胸パッド１を接続することで、軽く、便利で、快適で、肩ひもおよび背中部分のひもがない隠れるタイプのブラジャー(図１の通り)が構成される。
【００１０】
本考案の構造を応用する実施例の設計により、袋１１の中にシリコン発泡の材質１２を充填した胸パッド１を接着層２および接続パーツ３と合わせて、ひも無しのブラジャーが構成される。さらに、そのシリコン発泡の材質１２の中に形成された複数の細い泡により全体の重量を減少することで、胸パッドが軽くて、身体に貼って覆う効果が達成できるので、使用者が負担無しで使用でき、脱落の虞がない。その次に本実施例は、袋１１の中にシリコン発泡の材質１２を充填することで、ブラジャーのカップパーツと同じものが形成されるので、それは柔らかくて触れる感じが良く、上述の接着層２に合わせて実施するので、胸パッド１を乳房に貼って使用する(図４および図５の通り)ことで、ブラジャーの使用する目的を達成するので、使用者が簡単につけることができる。
【００１１】
又、その薄い接着層２の貼る効果は、アメリカ３Ｍ会社により製造された繰り返し貼れる便箋用紙を利用して、十分に証明および説明できる。それは、１枚の紙およびそのエッジに接着剤をつけるだけで、書類又は品物の上に貼り易いものであり、この考案の接着層２も同一な貼る効果および繰り返し使用できる効果があるので、水をつけない状態で、皮膚の上に結び付けることができる。又、低周波の物理治療マシンの導電プレートで、その粘着性を証明できる。それも接着剤の一つであるが、本実施例の接着層２で使用するシリコンはそれとやや異なる。即ち、本実施例の接着層がとても薄く、軽い胸パッド１を使用者の乳房に覆うことで、簡単に付着でき脱落しにくいので、繰り返し使用する目的を達成できる。又、それは材質が柔らかくて、皮膚に傷害をおわせたり刺激ししたりしない特性があり、最も重要なのは、それは皮膚の汗の排出、代謝、呼吸などの働きに影響しないので、良い使用性および快適性を提供できることである。
【００１２】
尚、この考案によりの隠れるタイプのブラジャーは、従来のブラジャーのような肩ひもおよび背中部分のひものようなパーツがないので、全体的に相当に高い経済性および変化性を備える。そのため、各種の服に合わせて使用できる。特別な需要がある場合、自由に適切な厚さおよび形状を選べるので、胸の小さい方も整形が必要ではなく、服を着る時、さらに素晴らしい感じが現れる。さらに、服の設計は変化できる。上述により、使用者が従来にない軽さおよび利便性を得られる。即ち、それは従来のブラジャー構造と完全に異なるブラジャーの構造であり、相当に応用性および可変性が広いものである。
【００１３】
この考案の主要な目的は、隠れるタイプのブラジャー設計を提供するものであるが、それは、公告番号第４９７９６０号の特許による「豊胸胸パッド」の技術を応用して、さらに具体的に肩ひも、背中部分のひもおよびカップのない隠れるタイプのブラジャーが構成することで、柔らかくて軽い効果が達成できるので、胸に簡単に貼って、ブラジャーの効果が得られる。さらに、それによるブラジャーのひもおよびカップの締める程度および美観性などの問題を解決できるのである。
【００１４】
上述の目的による、この考案の実施は、１対の乳房と対応する胸パッドがあり、その胸パッドは、粘りが強くて、水を透過しない軟性材料で溶接して密封する袋が構成され、その袋の中にシリコン発泡の材質を充填する。さらに、そのシリコン発泡の材質の中に、複数の細い泡と軟化剤を存在させることで、それぞれの胸パッドの内面に一層のシリコン類の接着剤で構成された接着層を設けてある。又、その接着層を利用して、皮膚と接着することができる。さらに、その２枚の胸パッドの間に一つの接続パーツを設けることで、軽くて便利で、肩ひものない隠れるタイプのブラジャーが構成されるのである。
【００１５】
この考案の主要な目的は隠れるタイプのブラジャーの設計を提供するものであるが、胸パッドの厚さが異なる形態を設けることで、簡単に胸に貼って豊胸の効果を達成できるのである。
【図面の簡単な説明】
【００１６】
【図１】本考案の一実施例による隠れるタイプのブラジャーを示す正面図である。
【図２】本考案の一実施例による隠れるタイプのブラジャーの薄型の胸パッドを示す断面図である。
【図３】本考案の一実施例による隠れるタイプのブラジャーの厚い型の胸パッドを示す断面図である。
【図４】本考案の一実施例による隠れるタイプのブラジャーを身体に貼って使用する状態を示す断面図である。
【図５】本考案の一実施例による隠れるタイプのブラジャーを身体に貼って使用する状態を示す外観斜視図である。
【符号の説明】
【００１７】
１  胸パッド、１１  袋、１２  シリコン発泡の材質、２  接着層、３  接続パーツ
【図１】
0003100841.tif 000003
【図２】
0003100841.tif 000004
【図３】
0003100841.tif 000005
【図４】
0003100841.tif 000006
【図５】
0003100841.tif 000007